【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
１又は複数の外部機器を接続可能な情報処理装置であって、
前記外部機器のタイプ毎にユニークな情報でなるハードタイプ情報と、前記タイプ毎の前記外部機器の特性を示す特性情報とを記憶する記憶部と、
接続された前記外部機器に関する設定を行う設定部と
を備え、
前記設定部は、
接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された対応する前記特性情報とを参照して、該外部機器に関する設定を行う
ことを特徴とする情報処理装置。
【請求項２】
１又は複数の外部機器を接続可能な情報処理装置であって、
前記外部機器のタイプ毎にユニークな情報でなるハードタイプ情報と、前記タイプ毎の前記外部機器の特性を示す特性情報とを記憶する記憶部と、
接続された前記外部機器に関する設定を行う設定部と
を備え、
前記設定部は、
接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された各前記特性情報とに基づいて、該ベースタイプ情報と前記特性情報が一致する前記外部機器のタイプを選定し、該選択したタイプの外部機器が接続されているものとして、該外部機器に関する設定を継続する
ことを特徴とする情報処理装置。
【請求項３】
１又は複数の外部機器を接続可能な情報処理装置であって、
前記外部機器のタイプ毎にユニークな情報でなるハードタイプ情報と、前記タイプ毎の前記外部機器の特性を示す特性情報とを記憶する記憶部と、
接続された前記外部機器に関する設定を行う設定部と
を備え、
前記設定部は、
接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された各前記特性情報とに基づいて、該ベースタイプ情報と最も類似した前記特性情報に対応する前記外部機器のタイプを選定し、該選択したタイプの外部機器が接続されているものとして、該外部機器に関する設定を継続する
ことを特徴とする情報処理装置。
【請求項４】
前記情報処理装置が記憶制御装置であって、前記外部機器がディスク装置である
ことを特徴とする請求項１乃至３に記載の情報処理装置。
【請求項５】
１又は複数の外部機器を接続可能な情報処理装置の設定方法であって、
前記情報処理装置は、前記外部機器のタイプ毎にユニークな情報でなるハードタイプ情報と、前記タイプ毎の前記外部機器の特性を示す特性情報とが格納された記憶部を有し、
接続された前記外部機器に対して前記ハードタイプ情報と該外部機器の性能に関する情報でなるベースタイプ情報とを問い合わせる第１のステップと、
前記問い合わせにより該外部機器から取得した前記ハードタイプ情報が前記記憶部に格納されているかどうかを判定する第２のステップと、
前記ハードタイプ情報が前記記憶部に格納されていない場合に、前記外部機器から取得した前記ベースタイプ情報と、前記記憶部に格納された対応する前記特性情報とを参照して、該外部機器に関する設定を行う第３のステップと
を備えることを特徴とする情報処理装置の設定方法。
【請求項６】
１又は複数の外部機器を接続可能な情報処理装置の設定方法であって、
前記情報処理装置は、前記外部機器のタイプ毎にユニークな情報でなるハードタイプ情報と、前記タイプ毎の前記外部機器の特性を示す特性情報とが格納された記憶部を有し、
接続された前記外部機器に対して前記ハードタイプ情報と該外部機器の性能に関する情報でなるベースタイプ情報とを問い合わせる第１のステップと、
前記問い合わせにより該外部機器から取得した前記ハードタイプ情報が前記記憶部に格納されているかどうかを判定する第２のステップと、
前記ハードタイプ情報が前記記憶部に格納されていない場合に、前記外部機器から取得した前記ベースタイプ情報と、前記記憶部に格納された各前記特性情報とに基づいて、該ベースタイプ情報と前記特性情報が一致する前記外部機器のタイプを選定する第３のステップと、
該選択したタイプの外部機器が接続されているものとして、該外部機器に関する設定を継続する第４のステップと
を備えることを特徴とする情報処理装置の設定方法。
【請求項７】
１又は複数の外部機器を接続可能な情報処理装置の設定方法であって、
前記情報処理装置は、前記外部機器のタイプ毎にユニークな情報でなるハードタイプ情報と、前記タイプ毎の前記外部機器の特性を示す特性情報とが格納された記憶部を有し、
接続された前記外部機器に対して前記ハードタイプ情報と該外部機器の性能に関する情報でなるベースタイプ情報とを問い合わせる第１のステップと、
前記問い合わせにより該外部機器から取得した前記ハードタイプ情報が前記記憶部に格納されているかどうかを判定する第２のステップと、
前記ハードタイプ情報が前記記憶部に格納されていない場合に、前記外部機器から取得した前記ベースタイプ情報と、前記記憶部に格納された各前記特性情報とに基づいて、該ベースタイプ情報と最も類似した前記特性情報に対応する前記外部機器のタイプを選定する第３のステップと、
該選択したタイプの外部機器が接続されているものとして、該外部機器に関する設定を継続する第４のステップと
を備えることを特徴とする情報処理装置の設定方法。
【請求項８】
前記情報処理装置が記憶制御装置であって、前記外部機器がディスク装置である
ことを特徴とする請求項５乃至７に記載の情報処理装置の設定方法。
【請求項９】
１又は複数のディスク装置を接続可能な情報処理装置であって、
上位装置との間のデータの受け渡しを制御するチャネルアダプタと、
前記ディスク装置のタイプ毎にユニークな情報でなるハードタイプ情報と、前記タイプ毎の前記外部機器の特性を示す特性情報とを記憶する共有メモリと、
前記ディスク装置との間のデータの受け渡しを制御するディスクアダプタと
を備え、
前記ディスクアダプタは、
接続された前記ディスク装置に対して前記ハードタイプ情報と該ディスク装置の性能に関する情報でなるベースタイプ情報とを問い合わせ、前記問い合わせにより該ディスク装置から取得した前記ハードタイプ情報が前記共有メモリに格納されているかどうかを判定し、前記ハードタイプ情報が前記記憶部に格納されていない場合に、前記ディスク装置から取得した前記ベースタイプ情報と、前記共有メモリに格納された対応する前記特性情報とを参照して、該ディスク装置に関する設定を行う
ことを特徴とする情報処理装置。 
【請求項１０】
上位装置との間のデータの受け渡しを制御するチャネルアダプタと、接続されたディスク装置との間のデータの受け渡しを制御するディスクアダプタと、前記ディスク装置のタイプ毎にユニークな情報でなるハードタイプ情報、及び前記タイプ毎の前記外部機器の特性を示す特性情報を記憶する共有メモリとを有する情報処理装置の設定方法であって、
前記ディスクアダプタが、接続された前記ディスク装置に対して前記ハードタイプ情報と該ディスク装置の性能に関する情報でなるベースタイプ情報とを問い合わせる第１のステップと、
前記ディスクアダプタが、前記問い合わせにより該ディスク装置から取得した前記ハードタイプ情報が前記共有メモリに格納されているかどうかを判定する第２のステップと、
前記ディスクアダプタが、前記ハードタイプ情報が前記記憶部に格納されていない場合に、前記ディスク装置から取得した前記ベースタイプ情報と、前記共有メモリに格納された対応する前記特性情報とを参照して、該ディスク装置に関する設定を行う第３のステップと
を備えることを特徴とする情報処理装置の設定方法。
【手続補正２】
【補正対象書類名】明細書
【補正対象項目名】００１０
【補正方法】変更
【補正の内容】
【００１０】
かかる目的を達成するため本発明においては、１又は複数の外部機器を接続可能な情報処理装置であって、前記外部機器のタイプ毎にユニークな情報でなるハードタイプ情報と、前記タイプ毎の前記外部機器の特性を示す特性情報とを記憶する記憶部と、接続された前記外部機器に関する設定を行う設定部とを備え、前記設定部は、接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された対応する前記特性情報とを参照して、該外部機器に関する設定を行うことを特徴とする。
また本発明においては、１又は複数の外部機器を接続可能な情報処理装置であって、前記外部機器のタイプ毎にユニークな情報でなるハードタイプ情報と、前記タイプ毎の前記外部機器の特性を示す特性情報とを記憶する記憶部と、接続された前記外部機器に関する設定を行う設定部とを備え、前記設定部は、接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された各前記特性情報とに基づいて、該ベースタイプ情報と前記特性情報が一致する前記外部機器のタイプを選定し、該選択したタイプの外部機器が接続されているものとして、該外部機器に関する設定を継続することを特徴とする。
さらに本発明においては、１又は複数の外部機器を接続可能な情報処理装置であって、前記外部機器のタイプ毎にユニークな情報でなるハードタイプ情報と、前記タイプ毎の前記外部機器の特性を示す特性情報とを記憶する記憶部と、接続された前記外部機器に関する設定を行う設定部とを備え、前記設定部は、接続された前記外部機器に対して前記ハードタイプ情報と該外部機器の性能に関する情報でなるベースタイプ情報とを問い合わせ、前記問い合わせにより該外部機器から取得した前記ハードタイプ情報が前記記憶部に格納されているかどうかを判定し、前記ハードタイプ情報が前記記憶部に格納されていない場合に、前記外部機器から取得した前記ベースタイプ情報と、前記記憶部に格納された各前記特性情報とに基づいて、該ベースタイプ情報と最も類似した前記特性情報に対応する前記外部機器のタイプを選定し、該選択したタイプの外部機器が接続されているものとして、該外部機器に関する設定を継続することを特徴とする。
さらに本発明においては、１又は複数のディスク装置を接続可能な情報処理装置であって、上位装置との間のデータの受け渡しを制御するチャネルアダプタと、前記ディスク装置のタイプ毎にユニークな情報でなるハードタイプ情報と、前記タイプ毎の前記外部機器の特性を示す特性情報とを記憶する共有メモリと、前記ディスク装置との間のデータの受け渡しを制御するディスクアダプタとを備え、前記ディスクアダプタは、接続された前記ディスク装置に対して前記ハードタイプ情報と該ディスク装置の性能に関する情報でなるベースタイプ情報とを問い合わせ、前記問い合わせにより該ディスク装置から取得した前記ハードタイプ情報が前記共有メモリに格納されているかどうかを判定し、前記ハードタイプ情報が前記記憶部に格納されていない場合に、前記ディスク装置から取得した前記ベースタイプ情報と、前記共有メモリに格納された対応する前記特性情報とを参照して、該ディスク装置に関する設定を行うことを特徴とする。
【手続補正３】
【補正対象書類名】明細書
【補正対象項目名】００１２
【補正方法】変更
【補正の内容】
【００１２】
また本発明においては、１又は複数の外部機器を接続可能な情報処理装置の設定方法であって、前記情報処理装置は、前記外部機器のタイプ毎にユニークな情報でなるハードタイプ情報と、前記タイプ毎の前記外部機器の特性を示す特性情報とが格納された記憶部を有し、接続された前記外部機器に対して前記ハードタイプ情報と該外部機器の性能に関する情報でなるベースタイプ情報とを問い合わせる第１のステップと、前記問い合わせにより該外部機器から取得した前記ハードタイプ情報が前記記憶部に格納されているかどうかを判定する第２のステップと、前記ハードタイプ情報が前記記憶部に格納されていない場合に、前記外部機器から取得した前記ベースタイプ情報と、前記記憶部に格納された対応する前記特性情報とを参照して、該外部機器に関する設定を行う第３のステップとを備えることを特徴とする。
さらに本発明においては、１又は複数の外部機器を接続可能な情報処理装置の設定方法であって、前記情報処理装置は、前記外部機器のタイプ毎にユニークな情報でなるハードタイプ情報と、前記タイプ毎の前記外部機器の特性を示す特性情報とが格納された記憶部を有し、接続された前記外部機器に対して前記ハードタイプ情報と該外部機器の性能に関する情報でなるベースタイプ情報とを問い合わせる第１のステップと、前記問い合わせにより該外部機器から取得した前記ハードタイプ情報が前記記憶部に格納されているかどうかを判定する第２のステップと、前記ハードタイプ情報が前記記憶部に格納されていない場合に、前記外部機器から取得した前記ベースタイプ情報と、前記記憶部に格納された各前記特性情報とに基づいて、該ベースタイプ情報と前記特性情報が一致する前記外部機器のタイプを選定する第３のステップと、該選択したタイプの外部機器が接続されているものとして、該外部機器に関する設定を継続する第４のステップとを備えることを特徴とする。
さらに本発明においては、１又は複数の外部機器を接続可能な情報処理装置の設定方法であって、前記情報処理装置は、前記外部機器のタイプ毎にユニークな情報でなるハードタイプ情報と、前記タイプ毎の前記外部機器の特性を示す特性情報とが格納された記憶部を有し、接続された前記外部機器に対して前記ハードタイプ情報と該外部機器の性能に関する情報でなるベースタイプ情報とを問い合わせる第１のステップと、前記問い合わせにより該外部機器から取得した前記ハードタイプ情報が前記記憶部に格納されているかどうかを判定する第２のステップと、前記ハードタイプ情報が前記記憶部に格納されていない場合に、前記外部機器から取得した前記ベースタイプ情報と、前記記憶部に格納された各前記特性情報とに基づいて、該ベースタイプ情報と最も類似した前記特性情報に対応する前記外部機器のタイプを選定する第３のステップと、該選択したタイプの外部機器が接続されているものとして、該外部機器に関する設定を継続する第４のステップとを備えることを特徴とする。
さらに本発明においては、上位装置との間のデータの受け渡しを制御するチャネルアダプタと、接続されたディスク装置との間のデータの受け渡しを制御するディスクアダプタと、前記ディスク装置のタイプ毎にユニークな情報でなるハードタイプ情報、及び前記タイプ毎の前記外部機器の特性を示す特性情報を記憶する共有メモリとを有する情報処理装置の設定方法であって、前記ディスクアダプタが、接続された前記ディスク装置に対して前記ハードタイプ情報と該ディスク装置の性能に関する情報でなるベースタイプ情報とを問い合わせる第１のステップと、前記ディスクアダプタが、前記問い合わせにより該ディスク装置から取得した前記ハードタイプ情報が前記共有メモリに格納されているかどうかを判定する第２のステップと、前記ディスクアダプタが、前記ハードタイプ情報が前記記憶部に格納されていない場合に、前記ディスク装置から取得した前記ベースタイプ情報と、前記共有メモリに格納された対応する前記特性情報とを参照して、該ディスク装置に関する設定を行う第３のステップとを備えることを特徴とする。
【手続補正４】
【補正対象書類名】明細書
【補正対象項目名】００５６
【補正方法】変更
【補正の内容】
【００５６】
記憶装置１２０、１３０が起動されるとチャネルアダプタ４０、４１、８０、８１，８２、８３、ディスクアダプタ６０、６１、１００、１０１，１０２、１０３のマイクロプロセッサが初期設定処理でそれぞれ接続する装置のレジスタ情報を取得する。図３のフローチャートで説明したように、ディスクアダプタに搭載されたマイクロプロセッサは、接続されている外部装置に対して問い合わせコマンドを発行し、外部装置からハードタイプ情報を取得する。（２０２）。
【手続補正５】
【補正対象書類名】明細書
【補正対象項目名】００５７
【補正方法】変更
【補正の内容】
【００５７】
取得したレジスタ情報と、ハードタイプ情報とを当該装置の共用メモリ５０、９０内の構成情報テーブル５２，９２へそれぞれ格納する（２０３）。この場合において、管理情報テーブル５１、９１内に、一致するハードタイプがない場合には、図３において説明した手順のいずれかによって、ベース情報に相当する情報を取得し、構成情報テーブル５２，９２に必要な情報を格納すればよい。また、本願第２の実施例によれば、ハードタイプ情報で取得した型名との一致性に基づいて関連する装置属性情報を選定し、その装置情報が有する属性情報から、構成情報テーブル５２に必要な情報を取得し、構成情報テーブルに蓄積すればよいのである。
【手続補正６】
【補正対象書類名】明細書
【補正対象項目名】００５８
【補正方法】変更
【補正の内容】
【００５８】
上位装置１０あるいは外部端末２０にて論理設定の変更が必要か判定し（２０４）、必要が無い場合はそのまま装置構成情報が確定する（２０７）。
【手続補正７】
【補正対象書類名】明細書
【補正対象項目名】００５９
【補正方法】変更
【補正の内容】
【００５９】
論理設定が必要な場合はパリティ生成レベル、仮想ボリューム、連結ボリューム、データアクセスレベル設定などの論理ボリューム項目の設定を行ない（２０５）、セキュリティ情報、ポート優先処理順位、データコピー実行可否、データバックアップ実行可否、データ２重書き可否などのチャネルアダプタ論理設定を行なう（２０６）。